(57)【要約】  本明細書のネットワーク側（３４、３８）の教示によれば、異なる時分割複信ＴＤＤアップリンク／ダウンリンク構成をもつプライマリセルとセカンダリセル（３２、３６）を含んだキャリアアグリゲーション構成を有する半二重ワイヤレスデバイス（４０、４２）をサービングする状況における送信適応が、セカンダリセル（３６）に関連して取られている。セカンダリセル内の通常ダウンリンクサブフレーム（１２）の第１の部分（２０）がプライマリセル内の特殊サブフレーム（１０）のダウンリンク部分（１４）と重複しかつ第２の部分（２２）がこの特殊なフレームのアップリンク部分（１８）と重複する場合、通常ダウンリンクサブフレームに関するセカンダリセルにおけるワイヤレスデバイスへの送信をこのワイヤレスデバイスを宛て先とするデータが通常ダウンリンクサブフレームのこの第２の部分内で送られないように適応させている。【選択図】図９
2016507914.tif 000002
【特許請求の範囲】
【請求項１】
ワイヤレス通信ネットワーク（３０）内のネットワークノード（３４、３８）における方法（１３００）であって、
異なるアップリンク／ダウンリンク（ＵＬ／ＤＬ）構成を有するプライマリセル（３２）とセカンダリセル（３６）とを含んだキャリアアグリゲーション構成を有する半二重時分割複信（ＴＤＤ）ワイヤレスデバイス（４０）をサービングすること（１３０２）、
前記セカンダリセル（３６）内の通常ダウンリンクサブフレーム（１２）を、前記プライマリセル（３２）内の特殊サブフレーム（１０）のダウンリンク部分（１４）と重複した第１の部分（２０）と、前記特殊サブフレーム（１０）のアップリンク部分（１８）と重複した第２の部分（２２）と、を有するものとして識別すること（１３０４）、
前記セカンダリセル（３６）内の前記通常ダウンリンクサブフレーム（１２）に関する前記ワイヤレスデバイス（４０）に対する送信を、前記ワイヤレスデバイス（４０）を宛て先としたデータが前記通常ダウンリンクサブフレーム（１２）の前記第２の部分（２２）で送られないように適応させること（１３０６）、
を含む方法（１３００）。
【請求項２】
前記ワイヤレス通信ネットワーク（３０）はロングタームエボリューション（ＬＴＥ）ネットワークを備え、かつ前記特殊サブフレーム（１０）および前記通常ダウンリンクサブフレーム（１２）は前記プライマリセルおよびセカンダリセル（３２、３６）内のプライマリおよびセカンダリＬＴＥキャリア（４４、４６）上に送信サブフレームをそれぞれ含む、請求項１に記載の方法（１３００）。
【請求項３】
前記通常ダウンリンクサブフレーム（１２）内において前記ワイヤレスデバイス（４０）に対する送信を適応させること（１３０６）は、前記通常ダウンリンクサブフレーム（１２）の前記第１の部分（２０）に対するユーザまたは制御データの送信を制限することを含む、請求項１または２に記載の方法（１３００）。
【請求項４】
前記通常ダウンリンクサブフレーム（１２）の前記第１の部分（２０）に対するユーザまたは制御データの前記送信を制限することは、前記ワイヤレスデバイス（４０）を拡張型物理ダウンリンク制御チャンネル（ｅＰＤＣＣＨ）から物理ダウンリンク制御チャンネル（ＰＤＣＣＨ）に少なくとも一時的に切り替えることを含む、請求項３に記載の方法（１３００）。
【請求項５】
前記通常ダウンリンクサブフレーム（１２）の前記第１の部分（２０）に対するユーザまたは制御データの前記送信を制限することは、前記通常ダウンリンクサブフレーム（１２）の前記第１の部分（２０）の長さおよび位置に対応するように拡張型物理ダウンリンク制御チャンネル（ｅＰＤＣＣＨ）上または物理ダウンリンク共有チャンネル（ＰＤＳＣＨ）上で送信されるシンボルの数および位置を制限することを含む、請求項３に記載の方法（１３００）。
【請求項６】
前記通常ダウンリンクサブフレーム（１２）内において前記ワイヤレスデバイス（４０）に対する送信を適応させること（１３０６）は、前記通常ダウンリンクサブフレーム（１２）の全長に基づくのではなく前記通常ダウンリンクサブフレーム（１２）の前記第１の部分（２０）の長さおよび／または位置に基づいて１つまたは複数の送信パラメータを選択することを含む、請求項１から５のいずれか一項に記載の方法（１３００）。
【請求項７】
前記１つまたは複数の送信パラメータを選択することは、転送ブロックサイズ、変調および符号化方式、ならびに前記通常ダウンリンクサブフレーム（１２）内においてどの直交周波数分割多重（ＯＦＤＭ）リソースエレメントが使用されるかのうちの１つまたは複数を選択することを含む、請求項６に記載の方法（１３００）。
【請求項８】
前記通常ダウンリンクサブフレーム（１２）内において前記ワイヤレスデバイス（４０）に対する送信を適応させること（１３０６）は、前記プライマリセルまたはセカンダリセル（３２、３６）内の特殊サブフレームに使用される構成に対応する特殊サブフレーム構成を仮定すること、あるいは予め定義されたパターンまたは規則に従うことを含め前記通常ダウンリンクサブフレーム（１２）をこれがあたかも前記セカンダリセル（３６）内の特殊なダウンリンクサブフレームであるかのように処置することを含む、請求項１から７のいずれか一項に記載の方法（１３００）。
【請求項９】
前記通常ダウンリンクサブフレーム（１２）内における前記ワイヤレスデバイス（４０）に対する送信を適応させること（１３０６）は、前記通常ダウンリンクサブフレーム（１２）内の前記ワイヤレスデバイス（４０）に対するあらゆる物理ダウンリンク共有チャンネル（ＰＤＳＣＨ）送信のスケジュール設定が回避されるように進行中のスケジュール設定動作を適応させることを含む、請求項１から３のいずれか一項に記載の方法（１３００）。
【請求項１０】
前記プライマリセル（３２）内の前記特殊サブフレームで使用するためのまたは前記セカンダリセル（３６）内の前記特殊サブフレームで使用するためのＤＭＲＳ送信パターンを用いることに基づいて、あるいは予め定義されたパターンまたは規則に従って、前記通常ダウンリンクサブフレーム（１２）内における前記ワイヤレスデバイス（４０）に関する任意の復調参照シンボル（ＤＭＲＳ）の送信を前記通常ダウンリンクサブフレーム（１２）の前記第１の部分（２０）内に置かれるように適応させることをさらに含む、請求項１から９のいずれか一項に記載の方法（１３００）。
【請求項１１】
異なるＵＬ／ＤＬ構成をもつプライマリセルとセカンダリセル（３２、３６）を含むキャリアアグリゲーション構成に関して、半二重ワイヤレスデバイス（４０）は第１組のワイヤレスデバイスに属するとして論理的に処置しかつ全二重ワイヤレスデバイス（４２）は第２組のワイヤレスデバイスに属するとして論理的に処置すること、ならびに前記第１組のワイヤレスデバイスをサービングするために第１組の無線ブロック（ＲＢ）からのＲＢをかつ前記第２組のワイヤレスデバイスをサービングするために第２組のＲＢからのＲＢを使用することをさらに含む、請求項１から１０のいずれか一項に記載の方法（１３００）。
【請求項１２】
ワイヤレス通信ネットワーク（３０）で使用するように構成されたネットワークノード（３４、３８）であって、
前記ワイヤレス通信ネットワーク（３０）の１つまたは複数のセル（３２、３６）内で動作しているワイヤレスデバイス（４０、４２）に対してデータを送信しかつこのワイヤレスデバイス（４０、４２）からデータを受信するように構成された通信インターフェース（５２）と、
前記通信インターフェース（５２）と動作可能に関連付けされた処理回路（５４）であって、異なる時分割複信（ＴＤＤ）構成を有するプライマリセル（３２）とセカンダリセル（３６）を含むキャリアアグリゲーション構成でサービングされる半二重ワイヤレスデバイス（４０）に関して、
前記セカンダリセル（３６）内の通常ダウンリンクサブフレーム（１２）を前記プライマリセル（３２）内の特殊サブフレーム（１０）のダウンリンク部分（１４）と重複する第１の部分（２０）と前記特殊サブフレーム（１０）のアップリンク部分（１８）と重複する第２の部分（２２）とを有するものとして識別すること、
前記通常ダウンリンクサブフレーム（１２）に関する前記ワイヤレスデバイス（４０）に対する送信を、前記ワイヤレスデバイス（４０）を宛て先としたデータが前記通常ダウンリンクサブフレーム（１２）の前記第２の部分（２２）で送られないように適応させること、
を行うように構成されている処理回路（５４）と、
を備えるネットワークノード（３４、３８）。
【請求項１３】
前記ワイヤレス通信ネットワーク（３０）はロングタームエボリューション（ＬＴＥ）ネットワークを備え、前記ネットワークノード（３４、３８）は前記プライマリセルおよびセカンダリセル（３２、３６）のうちの少なくとも１つと関連付けされたｅＮＢを備え、かつ前記通常および特殊ダウンリンクサブフレーム（１０、１２）はプライマリおよびセカンダリキャリア（４４、４６）上に送信サブフレームを含む、請求項１２に記載のネットワークノード（３４、３８）。
【請求項１４】
ワイヤレス通信ネットワーク（３０）で動作する半二重可能なワイヤレスデバイス（４０）における方法（１５００）であって、
異なるアップリンク／ダウンリンク（ＵＬ／ＤＬ）構成を有するプライマリセル（３２）とセカンダリセル（３６）を含んだキャリアアグリゲーション構成を有する時分割複信（ＴＤＤ）モードで動作すること（１５０２）、
前記セカンダリセル（３６）内の通常ダウンリンクサブフレーム（１２）を、前記プライマリセル（３２）内の特殊サブフレーム（１０）のダウンリンク部分（１４）と重複した第１の部分（２０）と前記特殊サブフレーム（１０）のアップリンク部分（１８）と重複した第２の部分（２２）とを有するものとして識別すること（１５０４）、
前記セカンダリセル（３６）内の前記通常ダウンリンクサブフレーム（１２）に関する受信を、前記通常ダウンリンクサブフレーム（１２）を前記第１の部分（２０）の内部だけのワイヤレスデバイス（４０）を宛て先とするすべてのユーザまたは制御データを有する省略型ダウンリンクサブフレームとして処置することに基づいて適応させること（１５０６）、
を含む方法（１５００）。
【請求項１５】
前記特殊サブフレーム（１０）および前記通常ダウンリンクサブフレーム（１２）は前記プライマリセルおよびセカンダリセル（３２、３６）内のプライマリおよびセカンダリＬＴＥキャリア（４４、４６）上にサブフレームをそれぞれ含む、請求項１４に記載の方法（１５００）。
【請求項１６】
前記通常ダウンリンクサブフレーム（１２）を省略型ダウンリンクサブフレームとして処置することは、ユーザデータまたは制御データの受信を前記通常ダウンリンクサブフレーム（１２）の前記第１の部分（２０）に制限することを含む、請求項１４または１５に記載の方法（１５００）。
【請求項１７】
ユーザデータまたは制御データの受信を前記通常ダウンリンクサブフレーム（１２）の前記第１の部分（２０）に制限することは、拡張型物理ダウンリンク制御チャンネル（ｅＰＤＣＣＨ）モニタリングから物理ダウンリンク制御チャンネル（ＰＤＣＣＨ）モニタリングに少なくとも一時的に切り替えることを含む、請求項１６に記載の方法（１５００）。
【請求項１８】
前記セカンダリセル（３６）内の前記通常ダウンリンクサブフレーム（１２）に関する受信を適応させること（１５０６）は、前記セカンダリセル（３６）内の前記通常ダウンリンクサブフレーム（１２）に関する１つまたは複数の送信パラメータが前記通常ダウンリンクサブフレーム（１２）の全長に基づくのではなく前記通常ダウンリンクサブフレーム（１２）の前記第１の部分（２０）の長さおよび／または位置に基づいて設定されると仮定することを含む、請求項１４から１７のいずれか一項に記載の方法（１５００）。
【請求項１９】
前記１つまたは複数の送信パラメータは、転送ブロックサイズ、変調および符号化方式、ならびに前記通常ダウンリンクサブフレーム（１２）内においてどの直交周波数分割多重（ＯＦＤＭ）リソースエレメントが使用されるかのうちの１つまたは複数を含む、請求項１８に記載の方法（１５００）。
【請求項２０】
前記セカンダリセル（３６）内の前記通常ダウンリンクサブフレーム（１２）に関する受信を適応させること（１５０６）は、前記プライマリセルまたはセカンダリセル（３２、３６）内の特殊サブフレームに使用される構成に対応する特殊サブフレーム構成を仮定すること、あるいは予め定義されたパターンまたは規則に従うことを含め前記通常ダウンリンクサブフレーム（１２）をこれがあたかも前記セカンダリセル（３６）内の特殊なダウンリンクサブフレームであるかのように処置することを含む、請求項１４から１９のいずれか一項に記載の方法（１５００）。
【請求項２１】
前記セカンダリセル（３６）内の前記通常ダウンリンクサブフレーム（１２）に関する受信を適応させること（１５０６）は、前記プライマリセル（３２）内の前記特殊サブフレームで使用するためのまたは前記セカンダリセル（３６）内の特殊サブフレームで使用するためのＤＭＲＳ送信パターンに従ってあるいは予め定義されたパターンまたは規則に従って、前記通常ダウンリンクサブフレーム（１２）内における前記ワイヤレスデバイス（４０）に関する任意の復調参照シンボル（ＤＭＲＳ）の送信が前記通常ダウンリンクサブフレーム（１２）の前記第１の部分（２０）内にあると仮定することを含む、請求項１４から２０のいずれか一項に記載の方法（１５００）。
【請求項２２】
ワイヤレス通信ネットワーク（３）で動作するように構成された半二重可能なワイヤレスデバイス（４０）であって、
前記ワイヤレス通信ネットワーク（３０）から信号を受信しかつ前記ワイヤレス通信ネットワーク（３０）に信号を送信するように構成された通信インターフェース（６２）と、
前記通信インターフェース（６２）と動作可能に関連付けされた処理回路（６４）であって、前記ワイヤレスデバイス（３０）が異なるアップリンク／ダウンリンク（ＵＬ／ＤＬ）構成を有する前記ワイヤレス通信ネットワーク（３０）のプライマリセル（３２）とセカンダリセル（３６）を含んだキャリアアグリゲーション構成を有する時分割複信（ＴＤＤ）モードで動作している場合に、
前記セカンダリセル（３６）内の通常ダウンリンクサブフレーム（１２）を前記プライマリセル（３２）内の特殊サブフレーム（１０）のダウンリンク部分（１４）と重複する第１の部分（２０）と前記特殊サブフレーム（１０）のアップリンク部分（１８）と重複する第２の部分（２２）とを有するものとして識別すること、
前記セカンダリセル（３６）内の前記通常ダウンリンクサブフレーム（１２）に関する受信を、前記通常ダウンリンクサブフレーム（１２）を前記第１の部分（２０）の内部だけのワイヤレスデバイス（４０）を宛て先とするすべてのユーザまたは制御データを有する省略型ダウンリンクサブフレームとして処置することに基づいて適応させること、
を行うように構成されている処理回路（６４）と、
を備えるワイヤレスデバイス（４０）。
【請求項２３】
前記処理回路（６４）は、前記通常ダウンリンクサブフレーム（１２）に関する受信を拡張型物理ダウンリンク制御チャンネル（ｅＰＤＣＣＨ）モニタリングから物理ダウンリンク制御チャンネル（ＰＤＣＣＨ）モニタリングへ少なくとも一時的に切り替えることに基づいて適応させるように構成されている、請求項２２に記載のワイヤレスデバイス（４０）。
【請求項２４】
処理回路（６４）は、前記セカンダリセル（３６）内の前記通常ダウンリンクサブフレーム（１２）に関する受信を、前記セカンダリセル（３６）内の前記通常ダウンリンクサブフレーム（１２）に関する１つまたは複数の送信パラメータが前記通常ダウンリンクサブフレーム（１２）の全長に基づくのではなく前記通常ダウンリンクサブフレーム（１２）の前記第１の部分（２０）の長さおよび／または位置に基づいて設定されると仮定することによって適応させるように構成されている、請求項２２または２３に記載のワイヤレスデバイス（４０）。
【請求項２５】
前記１つまたは複数の送信パラメータは、転送ブロックサイズ、変調および符号化方式、ならびに前記通常ダウンリンクサブフレーム（１２）内においてどの直交周波数分割多重（ＯＦＤＭ）リソースエレメントが使用されるかのうちの１つまたは複数を含む、請求項２４に記載のワイヤレスデバイス（４０）。
【請求項２６】
前記処理回路（６４）は、前記セカンダリセル（３６）内の前記通常ダウンリンクサブフレーム（１２）に関する受信を、前記プライマリセルまたはセカンダリセル（３２、３６）内の特殊サブフレームに使用される構成に対応する特殊サブフレーム構成を仮定すること、あるいは予め定義されたパターンまたは規則に従うことを含め前記通常ダウンリンクサブフレーム（１２）をこれがあたかも前記セカンダリセル（３６）内の特殊なダウンリンクサブフレームであるかのように処置することに基づいて適応させるように構成されている、請求項２２から２５のいずれか一項に記載のワイヤレスデバイス（４０）。
【請求項２７】
前記処理回路（６４）は、前記セカンダリセル（３６）内の前記通常ダウンリンクサブフレーム（１２）に関する受信を、前記通常ダウンリンクサブフレーム（１２）内の前記ワイヤレスデバイス（４０）に関する任意の復調参照シンボル（ＤＭＲＳ）の送信が、前記プライマリセル（３２）内の前記特殊サブフレームで使用するためのまたは前記セカンダリセル（３６）内の特殊サブフレームで使用するためのＤＭＲＳ送信パターンに従ってあるいは予め定義されたパターンまたは規則に従って前記通常ダウンリンクサブフレーム（１２）の前記第１の部分（２０）内にあると仮定することに基づいて適応させるように構成されている、請求項２２から２６のいずれか一項に記載のワイヤレスデバイス（４０）。
【発明の詳細な説明】
【技術分野】
【０００１】
本発明は一般的にはワイヤレス通信ネットワークに関し、また詳細にはこのようなネットワークにおける時分割複信（ＴＤＤ）セルのキャリアアグリゲーション（ｃａｒｒｉｅｒ  ａｇｇｒｅｇａｔｉｏｎ）に関する動作に関する。
【背景技術】
【０００２】
ロングタームエボリューション（ＬＴＥ）ネットワークは、ダウンリンク（ＤＬ）においては直交周波数分割多重（ＯＦＤＭ）を使用し、またアップリンク（ＵＬ）においては離散フーリエ変換（ＤＦＴ）スプレッドのＯＦＤＭを使用する。したがってベーシックなＬＴＥダウンリンク物理的リソースは、図１に示したような各リソースエレメントが１つのＯＦＤＭシンボル間隔における１つのＯＦＤＭサブキャリアに対応している時間−周波数グリッドとして確認することが可能である。このグリッド図中において、各縦列は１つのＯＦＤＭシンボル間隔を意味しており、各横列は規定されたサブキャリア周波数をもつ１つのサブキャリアを意味しており、またグリッド内の各セルは所与のリソースエレメントすなわちＲＥを意味している。
【０００３】
時間領域ではＬＴＥダウンリンク送信は、その各無線フレームが長さＴｓｕｂｆｒａｍｅ＝１ｍｓの等しいサイズの１０個のサブフレームからなるような１０ｍｓの無線フレーム群になるように編成されている。図２は、フレーム／サブフレーム構造を示している。所与のノード（たとえば、ＬＴＥなどのセルラーシステム内の端末）からの送信および受信は、周波数領域中または時間領域中で（あるいは、これらの組み合わせの中で）多重化させることが可能である。周波数分割複信（ＦＤＤ）は、ダウンリンクとアップリンクの送信が異なった十分に離れた周波数帯域で生じていることを含意する。時分割複信（ＴＤＤ）は、ダウンリンクとアップリンクの送信が異なった重複のない時間スロットで生じていることを含意する。
【０００４】
ＴＤＤ動作ではしたがって単一のキャリア周波数が可能であり、またアップリンクとダウンリンクの送信は時間的に分離されている。ＴＤＤではアップリンク送信とダウンリンク送信について同じキャリア周波数を使用するため、基地局とモバイル端末の両方は送信から受信へのまたはこの逆方向への切り替えが必要となる。あらゆるＴＤＤシステムの本質的な点は、ダウンリンク送信もアップリンク送信も生じていない十分に長いガード時間が生じる可能性があることである。このことは、アップリンク送信とダウンリンク送信の間の干渉を回避するために必要となる。ＬＴＥでは、このガード時間が特殊サブフレーム（サブフレーム１、またある場合ではサブフレーム６）によって提供されており、この特殊サブフレームはダウンリンクパート（ＤｗＰＴＳ）、ガード間隔（ＧＰ）およびアップリンクパート（ＵｐＰＴＳ）という３つのパートに分割される。図３は、特殊サブフレーム構造を示している。
【０００５】
この構造によれば特殊サブフレームは、ダウンリンクで使用される部分とアップリンクで使用される部分とを有するという点で、アップリンクサブフレームとダウンリンクサブフレームの両方であると理解することが可能である。正規サブフレームまたは通常サブフレーム（すなわち、上記の定義に従った「特殊」サブフレームでないとされたサブフレーム）は、アップリンク送信またはダウンリンク送信のいずれかに割り当てられる。
【０００６】
ＴＤＤでは、ダウンリンク／アップリンク構成が異なることによってアップリンク送信とダウンリンク送信のそれぞれに割り当てられるリソースの量に関して様々な非対称性が可能である。すなわちＬＴＥや他のタイプのセルラー通信ネットワーク内にある異なるセルは、異なるアップリンク／ダウンリンク（ＵＬ／ＤＬ）構成を使用することがあり得、このことは異なるセルがアップリンクサブフレームとダウンリンクサブフレームに関して異なる割り当てを有することを意味する。
【０００７】
ＬＴＥの例では、図４に示したように７種類の構成（「構成０」から「構成６」まで）が存在する。さらに、特殊サブフレームについては図５に示したように９種類の構成（「構成０」から「構成８」まで）が存在する。図５では、交差線ハッチングで表したブロックはＤＬ  ＯＦＤＭシンボルを意味しており、平行斜線ハッチングで表したブロックはＵＬ  ＯＦＤＭシンボルを意味しており、また空白のブロックはガード時間を意味している。
【０００８】
ここで暫く別の考え方を見てみると、第３世代パートナーシッププロジェクト（３ＧＰＰ）によって公表された「リリース８」と呼ばれる通信仕様では２０ＭＨｚまでのバンド幅をサポートしていた。しかしＩＭＴアドバンスト要件を満たすためにリリース１０はこれより広いバンド幅をサポートした。互換性を得るために２０ＭＨｚより広いリリース１０のＬＴＥキャリアはリリース８のワイヤレスデバイスまたは端末にとっては、その各キャリアが２０ＭＨｚ以下のバンド幅を有する「コンポーネントキャリア」と呼ばれるような複数のＬＴＥキャリアのように見えている。効率を得るためにリリース１０は、広バンドのキャリアを有することを可能にし、これによりリリース８のレガシー端末が広バンドのキャリアのすべてのパート内でスケジュール設定され得るようにした。キャリアアグリゲーションすなわち「ＣＡ」によってこのような効率を提供することができる。
【０００９】
キャリアアグリゲーションは、ＬＴＥリリース１０（Ｒｅｌ−１０）端末がＲｅｌ−８キャリアと同じ構造を有するまたは少なくとも有する可能性があるような複数のコンポーネントキャリアを受信可能であることを含意する。一般的命題としてネットワーク内の干渉は、コンポーネントキャリアからなるアグリゲートされた（ａｇｇｒｅｇａｔｅｄ）組と関連付けされた近傍のセルがすべて同じＵＬ／ＤＬ構成を使用する（すなわち、フレーム内におけるアップリンクとダウンリンクサブフレームの割り当てが同じ）場合に、低減されるまたは対応が少なくともより容易である。
【００１０】
Ｒｅｌ−１０において実装されているようなＣＡは、ＣＡ構成内のサービングセルとして構成されたセルのすべての間で同じＵＬ／ＤＬ構成を有させることに基づいていた。しかしＲｅｌ−１１ではこれを変更し、異なるＵＬ／ＤＬ構成を有するコンポーネントキャリアのアグリゲーションを可能にしている。この変更によって、高出力基地局と低出力基地局またはアクセスポイントとの混合を用いたある地理的エリアにわたる無線カバー域を提供する異種ネットワーク内においてキャリアをアグリゲートするなど、より柔軟性のあるアグリゲーションシナリオを提供することができる。
【００１１】
異なるＵＬ／ＤＬ構成を有するキャリアをアグリゲートする能力によってさらに、変化するトラフィックパターンへの適応に関して（すなわち、ネットワークの所与のセル（または、複数のセル）内におけるアップリンク対ダウンリンクのサブフレーム割り当てを変更するため、これらのセル内で動作している端末の実際のトラフィックパターンを反映するために）より高い柔軟性を提供することができる。
【００１２】
異なるキャリアに異なるＵＬ／ＤＬ構成を導入するについては、２種類のＴＤＤ端末を考慮しなければならない。第１のタイプは全二重型と呼ばれるもので、これはこのタイプがあるキャリアで送信する一方、同時に別のキャリアで受信することが可能であることを意味する。第２のタイプのＴＤＤ端末は送信と受信を同時に行うことができないため半二重型と呼ばれる。
【００１３】
本明細書では、様々なＵＬ／ＤＬ構成をもつＣＡサービングセルを有する半二重ＴＤＤ端末の環境においていくつかの複雑な問題が生じることを認識している。図６は、これらの問題のうちの１つの点について示している。あるＵＬ／ＤＬ構成を有するプライマリセル（ＰＣｅｌｌ）と、異なるＵＬ／ＤＬ構成を有するセカンダリセル（ＳＣｅｌｌ）と、を含むＣＡ構成を考えてみる。この２つのセルは異なるＵＬ／ＤＬ構成を使用するため、端末が処理するように義務付けられたＰＣｅｌｌ内の特殊サブフレームが、ＳＣｅｌｌ内の通常ダウンリンクサブフレームと一致することがある。図６は、ＰＣｅｌｌ内の特殊サブフレーム１０がＳＣｅｌｌ内の通常ダウンリンクサブフレーム１２と一致または重複することを示している。ここにおける「一致（Ｃｏｉｎｃｉｄｉｎｇ）」とは、時間が少なくとも部分的に重複すること（たとえば、プライマリセルとセカンダリセルの間において同期したフレームタイミングを仮定すると、セカンダリセル内の通常ダウンリンクサブフレーム１２がプライマリセル内の特殊サブフレームと同時に送信されること）を意味する。
【００１４】
図７および８は、ある種の制御チャンネルに関するＬＴＥサブフレームの論理構造を示している。図７は特に、サブフレームの最初の４つのＯＦＤＭシンボルを備えた制御範囲を示している。この制御範囲内では物理ダウンリンク制御チャンネル（ＰＤＣＣＨ）送信が行われる。この制御チャンネル範囲内のＯＦＤＭ時間−周波数グリッドによって、あるＯＦＤＭシンボル時間内のあるサブキャリアに関する時間−周波数交差を示すリソースエレメントすなわちＲＥが提供される。リソースエレメントグループすなわちＲＥＧは４つのＲＥから構築されており、また制御チャンネルエレメントすなわちＣＣＥは９つのＲＥＧをアグリゲートしている。一方、ＰＤＣＣＨはいくつかのＣＣＥをアグリゲートしている（所与のＰＤＣＣＨについてアグリゲートされるＣＣＥの数のことをそのＣＣＥアグリゲーションレベルと呼ぶ）。ＰＤＣＣＨは、ダウンリンク制御情報（ＤＣＩ）を宛て先の端末に送信するために使用される。
【００１５】
これに対して図８は、拡張型ＰＤＣＣＨ（ｅＰＤＣＣＨ）がいわゆる拡張された制御範囲にあるサブフレームの後半の部分にわたって送信されることを示している。この結果として端末は、通常の巡回プレフィックス（ＣＰ）が使用されるような特殊サブフレーム構成が０または５の特殊サブフレーム内でｅＰＤＣＣＨを受信することが見込まれない。さらにまた端末は、拡大型ＣＰにおける構成０、４または７を有する特殊サブフレーム内でのｅＰＤＣＣＨの受信も見込まれない。同様に、物理ダウンリンク共有チャンネル（ＰＤＳＣＨ）は図示していないが、サブフレームのデータ部分にわたって拡大しているとともに、送信先となる端末は通常のＣＰでは特殊サブフレーム構成０または５、あるいは拡大型ＣＰでは特殊サブフレーム構成０または４の特殊サブフレームでのＰＤＳＣＨの受信が見込まれない。さらにまた、特殊サブフレーム内におけるダウンリンク部分の省略形はまた、端末は特殊サブフレームにおいて復調参照シンボル（ＤＭＲＳ）送信の受信も見込まれないことを意味する。
【発明の概要】
【００１６】
本明細書のネットワーク側の教示によれば、セカンダリサービングセルに関して取られる送信適応によって、異なる時分割複信（ＴＤＤ）アップリンク／ダウンリンク構成としたプライマリセルとセカンダリセルを含んだキャリアアグリゲーション構成を有する半二重ワイヤレスデバイスをサービングする状況で改良型の動作を提供することができる。送信適応は、セカンダリセル内にあるプライマリセル内の特殊サブフレームと時間について重複する通常ダウンリンクサブフレームに関して取られる。同様に改良型の動作は、セカンダリセル内にあるプライマリセル内の特殊サブフレームと重複する通常ダウンリンクサブフレームに関して取られる受信適応に従ってデバイス側で得られる。非限定の改良には、デバイスに向けられたユーザまたは制御データの送信および受信に関するより適当なチャンネル推定およびリンク適応、改良型のスケジュール設定、ならびにタイミング修正を含む。
【００１７】
一例によればネットワークノードは、異なるＵＬ／ＤＬ構成を有するプライマリセルとセカンダリセルを含んだキャリアアグリゲーション構成を有する半二重時分割複信（ＴＤＤ）ワイヤレスデバイスをサービングすることを含む方法を実行する。本ネットワークノードは、たとえばキャリアアグリゲーション構成で包含されたセルのうちの１つまたは複数を提供するような基地局とすることがある。
【００１８】
本方法は、セカンダリセル内の通常ダウンリンクサブフレームを、プライマリセル内の特殊サブフレームのダウンリンク部分と重複する第１の部分とこの特殊サブフレームのアップリンク部分と重複する第２の部分とを有するものとして識別することをさらに含む。たとえばこの識別動作では、基地局や他のネットワークノードが１つまたは複数のセカンダリセル内のどの通常ダウンリンクサブフレームがプライマリセル内の特殊サブフレームと時間的に一致するかを認識することが必要である。
【００１９】
本方法は、セカンダリセル内の通常ダウンリンクサブフレームに関するワイヤレスデバイスへの送信を、このワイヤレスデバイスを宛て先とするデータが通常ダウンリンクサブフレームの第２の部分内で送られないようにして適応させることをさらに含む。非限定の例ではワイヤレス通信ネットワークがロングタームエボリューション（ＬＴＥ）ネットワークであり、かつ特殊サブフレームと通常ダウンリンクサブフレームはプライマリセルとセカンダリセルのそれぞれのプライマリおよびセカンダリのＬＴＥキャリアに関する送信サブフレームである。
【００２０】
別の例では半二重ワイヤレスデバイスを、異なるＵＬ／ＤＬ構成を有するプライマリセルとセカンダリセルを含んだＣＡ構成で動作する状況における方法を実行するように構成させている。この状況において本方法は、セカンダリセル内の通常ダウンリンクサブフレームを、プライマリセル内の特殊サブフレームのダウンリンク部分と重複する第１の部分とこの特殊サブフレームのアップリンク部分と重複する第２の部分とを有するものとして識別することを含む。
【００２１】
本方法は、セカンダリセル内の通常ダウンリンクサブフレームに関する受信を、通常ダウンリンクサブフレームが第１の部分の内部だけのワイヤレスデバイスを宛て先とするすべてのユーザまたは制御データを有する省略型ダウンリンクサブフレームとして処置されることに基づいて適応させることをさらに含む。通常ダウンリンクサブフレームに対する省略型ダウンリンクサブフレームとして「処置」の一例ではワイヤレスデバイスは、通常ダウンリンクサブフレーム内のこのデバイスを宛て先とするすべての制御またはユーザデータがダウンリンクサブフレームの第１の部分内だけで送られるものと仮定している。結果として、この例示の適応での動作を処理する受信機は、通常ダウンリンクサブフレームにおける受信が第１のダウンリンク部分内部で完了されるとして処置するとともに、通常ダウンリンクサブフレームに関するダウンリンク受信処理において第２の部分を検討対象から除外している。
【００２２】
もちろん本発明は、上の特徴および利点に限定されるものではない。実際に当業者であれば、以下の詳細な説明を読みかつ添付の図面を参照することによって追加の特徴および利点を理解することになろう。
【図面の簡単な説明】
【００２３】
【図１】直交周波数分割多重（ＯＦＤＭ）リソースエレメント（ＲＥ）に基づいた周知の例示的なサブフレーム構造の図である。
【図２】周知の例示的な無線フレームとサブフレームのタイミング図である。
【図３】ロングタームエボリューション（ＬＴＥ）ネットワークにおけるダウンリンクとアップリンク送信に関する周知の例示的な時分割複信（ＴＤＤ）送信方式の図である。
【図４】ＬＴＥベースのワイヤレス通信ネットワークの所与のセル内部で使用し得る周知の例示的なＴＤＤ構成の図である。
【図５】ＴＤＤベースのセル内で適宜使用し得る「特殊サブフレーム」（ここで特殊サブフレームとは通常ダウンリンクサブフレームや通常のアップリンクサブフレームではなく、ダウンリンク部分とアップリンク部分の両方を含む）に関する周知の例示的な構成の図である。
【図６】プライマリセル（ＰＣｅｌｌ）内の特殊サブフレームがアグリゲートされたセカンダリセル（ＳＣｅｌｌ）内の通常ダウンリンクサブフレームと重複しているようなキャリアアグリゲーションの状況における例示の一ケースを示した図である。
【図７】ＬＴＥネットワークで使用されるような物理ダウンリンク制御チャンネル（ＰＤＣＣＨ）に関する周知の例示的なサブフレーム構成の図である。
【図８】ＬＴＥネットワークで使用されるような拡張型ＰＤＣＣＨ（ｅＰＤＣＣＨ）に関する周知の例示的なサブフレーム構成の図である。
【図９】アグリゲートされたＰＣｅｌｌ内の特殊サブフレームと重複したＳＣｅｌｌ内の通常ダウンリンクサブフレームに対する有利な論理的な区画分けまたは処理を示した図である。
【図１０】キャリアアグリゲーションをサポートするとともに本明細書の教示に従って適応させた１つまたは複数のネットワークノードを含んだワイヤレス通信ネットワークの一実施形態のブロック図である。
【図１１】キャリアアグリゲーションをサポートするとともに本明細書の教示に従って適応させた１つまたは複数のネットワークノードを含んだワイヤレス通信ネットワークの別の実施形態のブロック図である。
【図１２】本明細書で企図されるネットワークノードの一例としての基地局に関する例示の一実施形態のブロック図であり、またさらには第３世代パートナーシッププロジェクト（３ＧＰＰ）ユーザ機器（ＵＥ）やこのような他の端末とし得る企図されるワイヤレスデバイスの例示のブロック図を提供する。
【図１３】本明細書の教示に従ったネットワークノードでの処理の方法の一実施形態の論理フローチャートである。
【図１４】図１３で導入した方法の選択部分に関する例示の詳細の論理フローチャートである。
【図１５】本明細書の教示に従ったワイヤレスデバイスでの処理の方法の一実施形態の論理フローチャートである。
【図１６Ａ】本明細書での教示に従った様々な送信および／または受信適応で使用される例示の構成または制御値を示したテーブルである。
【図１６Ｂ】本明細書での教示に従った様々な送信および／または受信適応で使用される例示の構成または制御値を示したテーブルである。
【図１６Ｃ】本明細書での教示に従った様々な送信および／または受信適応で使用される例示の構成または制御値を示したテーブルである。
【図１６Ｄ】本明細書での教示に従った様々な送信および／または受信適応で使用される例示の構成または制御値を示したテーブルである。
【図１７】本明細書での教示に従った送信および／または受信適応に関する参照シンボル再マッピングの一例を示した図である。
【図１８】本明細書での教示に従った送信および／または受信適応に関する参照シンボル再マッピングの別の例を示した図である。
【図１９】本明細書での教示に従った送信および／または受信適応に関する参照シンボル再マッピング構成の例を示したテーブルである。
【発明を実施するための形態】
【００２４】
図９は、プライマリセル（ＰＣｅｌｌ）内の特殊サブフレーム１０と重複したセカンダリセル（ＳＣｅｌｌ）内の通常ダウンリンクサブフレーム１２に対する有利な論理的な区画分けおよび／または処置を示しており、ここでＰＣｅｌｌとＳＣｅｌｌとは、所与のモバイル端末や他のワイヤレスデバイスに関するキャリアアグリゲーション（ＣＡ）という意味においてアグリゲートされている。プライマリセル（ＰＣｅｌｌ）内の特殊サブフレーム１０が、ダウンリンク（ＤＬ）部分１４と、ガード部分１６と、アップリンク（ＵＬ）部分１８と、を含むことが確認されよう。
【００２５】
これに相応して、ＳＣｅｌｌ内の通常ダウンリンクサブフレーム１２が第１の部分２０と第２の部分２２とに「論理的に」分割される、または第１の部分２０と第２の部分２２とを有するように見える。第１の部分２０は、プライマリセル１０内の特殊サブフレーム１０のＵＬ部分１８と重複していない。第２の部分２２は、ＵＬ部分１８と少なくとも部分的に重複しており、またさらにガード部分１６の全体または一部と重複することがある。このため、通常ダウンリンクサブフレーム１２の第１の部分２０が特殊サブフレーム１０のガード部分１６の少なくとも一部内にまで時間的に延びることが可能であることにより、通常ダウンリンクサブフレーム１２に関するＳＣｅｌｌ内で利用可能なダウンリンク時間の長さが増大することが理解されよう。
【００２６】
図１０は、図９の重複したサブフレーム１０および１２を生じさせ得るとともに、１つまたは複数のネットワークノードおよびワイヤレスデバイスが本明細書の教示に従って構成されている例示のワイヤレス通信ネットワーク３０を示している。この図示した動作例におけるワイヤレス通信ネットワーク３０は、マクロ基地局３４によって提供されるマクロセル３２を有する「異種（ｈｅｔｅｒｏｇｅｎｅｏｕｓ）」ネットワークを備える。１つまたは複数のマイクロセル３６は、対応するマイクロ基地局３８によって提供される。マイクロセル３６はたとえば、マクロセル３２内部の選択エリアに対して拡張されたデータ速度のカバー域を提供するようなおよび／またはマクロセル３２内部のカバー域ギャップを埋める改良型のワイヤレスカバー域の局所エリアを提供するようなワイヤレスホットスポットを備える。
【００２７】
ワイヤレス通信ネットワーク３０で動作するワイヤレスデバイス４０はしたがって、１つまたは複数のマクロセル３２および／または１つまたは複数のマイクロセル３６からのサービスを受けることができる。このため、マクロセル３２内部におけるサービスが、ワイヤレスデバイス４０のうちの１つまたは複数に関するＵＬ／ＤＬ信号伝達についてはキャリア４４を介して提供される一方、各マイクロセル３６は所与のワイヤレスデバイス４０に関するＵＬ／ＤＬ信号伝達についてキャリア４６を提供する。あり得るキャリアアグリゲーションの状況には、２つ以上のマクロセル３２に関するアグリゲーション、マクロセル３２とマイクロセル３６の混合に関するアグリゲーション、または場合によっては２つ以上のマイクロセル３６に関するアグリゲーションが含まれる。一例ではＰＣｅｌｌは、近傍のマクロセル３２または重なり合ったマイクロセル３６をＳＣｅｌｌとするようなマクロセル３２とすることがある。
【００２８】
さらに、混合したデバイスタイプがネットワーク３０内で動作することもあり得る。たとえばワイヤレスデバイス４０は、半二重ＴＤＤデバイスとすることがある一方で、さらに全二重ＴＤＤデバイスであるような１つまたは複数のワイヤレスデバイス４２とすることもあり得る。全二重ＴＤＤワイヤレスデバイス４２は、あるキャリア４４または４６で受信する一方で、同時に別のキャリア４４または４６で送信することが可能である。さらに、ＣＡで問題となる異なるキャリアを異なる無線周波数帯域に入れる（すなわち、バンド間アグリゲーションとする）ことがある。
【００２９】
図１１は図１０と同様に、ＳＣｅｌｌ内の通常ダウンリンクサブフレーム１２がＰＣｅｌｌ内の特殊サブフレームと重複することがあるような別の非限定の例示のシナリオである。しかしここでは、問題のプライマリセルとセカンダリセルが２つのマクロセル３２−１および３２−２であり、これらは同じサイズを有することや異なるサイズを有することがあるとともに、マクロカバー域エリアは同じであることも異なることもあるが、少なくとも部分的に重複している。例示の一構成では基地局３４は、セル３２−１内ではある周波数帯域においてキャリア４４−１を用いてサービスを提供しており、またセル３２−２内では別の周波数帯域でキャリア４４−２を用いてサービスを提供している。図示したワイヤレスデバイス４０は、２つのセル３２−１、３２−２のうちの一方がＰＣｅｌｌを意味しかつ２つのセル３２−１、３２−２のうちのもう一方がＳＣｅｌｌを意味するようなＣＡ構成を有する。
【００３０】
したがって、検討を明瞭にするために特定を必要としない限り、本明細書におけるＣＡシナリオに対する言及は２つ以上のマクロセル３２／キャリア４４、または２つ以上のマイクロセル３６／キャリア４６、または１つまたは複数のマクロセル３２／キャリア４４と１つまたは複数のマイクロセル３６／キャリア４６の混合を含むことがある。同様に「ワイヤレスデバイス４０」という用語は、企図されるＣＡシナリオが含むアグリゲーションがマクロセル３２のアグリゲーションか、マイクロセル３６のアグリゲーションか、あるいはこれらの混合のアグリゲーションかによらず、キャリアアグリゲーションシナリオ内に含まれる所与のワイヤレスデバイス４０を総称的に指し示すために使用することにする。
【００３１】
図１２は、基地局３４の一実施形態と、たとえばモバイル端末や他のタイプのユーザ機器（ＵＥ）とし得るワイヤレスデバイス４０の一実施形態と、を示している。図１０で導入したマイクロ基地局３８は、例示の基地局３４について示した構成と同じ構成または少なくとも同様の構成を有することがある、ただしこれらは指摘したように異なる無線アクセス技術（ＲＡＴ）によっておよび／または異なる無線周波数帯域で動作することがある。
【００３２】
図１２の基地局３４は、１つまたは複数の送信／受信アンテナ５０と、関連する通信インターフェース５２（たとえば、ワイヤレスデバイス４０に信号を送信するようにかつワイヤレスデバイス４０から信号を受信するように適応させた無線送受信機回路）と、を含む。基地局３４はさらに、制御および処理回路５４を含む。この回路のことを幅広く「処理回路５４」と呼んでいるが、当業者であれば処理回路５４が１つまたは複数のＣＰＵ、マイクロプロセッサ、ＦＰＧＡ、ＤＳＰ、および／または本明細書に教示したネットワーク側の処理を実行するように固定的またはプログラム式のいずれかで構成された他のディジタル処理回路を含み得ることを理解されよう。
【００３３】
例示の一構成では処理回路５４は、レイヤー１（物理的レイヤー）処理、レイヤー２処理（パケットデータコンバージェンスプロトコル（ＰＤＣＰ）処理、無線リンク制御（ＲＬＣ）プロトコル処理、媒体アクセス制御（ＭＡＣ）プロトコル処理を含む）を実装し、またさらにレイヤー３処理（たとえば、無線リソース制御すなわちＲＲＣ処理、無線リソース管理（ＲＲＭ）機能と連携したもの、その他）を実装する。処理回路５４は、ＤＲＡＭやＳＲＡＭの形態をした作業用メモリ、およびＦＬＡＳＨ、ＥＥＰＲＯＭやディスク記憶装置の形態をした不揮発性メモリなどの複数のメモリまたは記憶デバイスや回路を備える得るメモリ／記憶装置５６を含む、あるいはメモリ／記憶装置５６と関連付けされている。
【００３４】
例示の基地局３４はまた、基地局３４を他の基地局３４、３８におよび／または１つまたは複数のコアネットワーク（ＣＮ）ノードと通信可能にリンクさせている１つまたは複数のネットワーク通信インターフェース５８を含む。例示の一実施形態ではワイヤレス通信ネットワーク３０はロングタームエボリューションすなわちＬＴＥネットワークを備え、またネットワーク通信インターフェース５８は近傍の基地局３４、３８との通信のために「Ｘ２」インターフェースを含むとともに、ＣＮ内の１つまたは複数のモビリティマネジメントエンティティすなわちＭＭＥに対するＳ１−ＭＭＥインターフェースと、ＣＮ内の１つまたは複数のサービングゲートウェイすなわちＳ−ＧＷに対するＳ１−Ｕインターフェースと、を含む。
【００３５】
例示のワイヤレスデバイス４０はまた、１つまたは複数の送信／受信アンテナ６０および関連する通信インターフェース６２（たとえば、ワイヤレス通信ネットワーク３０からダウンリンク信号を受信しかつワイヤレス通信ネットワーク３０にアップリンク信号を送信するように構成されたセルラー無線送受信機）を含む。ワイヤレスデバイス４０はさらに、１つまたは複数の処理回路６４（たとえば、ベースバンド受信／送信（ＲＸ／ＴＸ）処理回路）、関連するメモリ／記憶装置６６、および（具体的な構成や使用目的に応じて）追加の処理／インターフェース回路６８（たとえば、ユーザインターフェースおよび／または１つまたは複数のアプリケーションレベルのプロセッサ）を含む。
【００３６】
ベースバンドＲＸ／ＴＸ処理回路６４のことを幅広く「処理回路６４」と呼んでいるが、処理回路６４は１つまたは複数のＣＰＵ、マイクロプロセッサ、ＦＰＧＡ、ＤＳＰ、あるいは本明細書での教示に従ったデバイス側の処理を実行するように固定的またはプログラム式で構成された１つまたは複数の他のディジタル処理回路を備え得ることを理解すべきである。これらの詳細によらずこの検討の目的において、例示のワイヤレスデバイス４０はＣＡ（たとえば、バンド間ＣＡ）をサポートする半二重ＴＤＤ端末である。ワイヤレスデバイス４０は、半二重ＴＤＤ動作のみが可能であるようにすること、あるいはＣＡ状況において半二重と全二重ＴＤＤの両方の動作をサポートする（ただし、半二重ＴＤＤ動作向けに構成される）ようにすること、があり得る。
【００３７】
基地局３４を一例として使うと、基地局３４はワイヤレス通信ネットワーク３０で使用するように構成されるとともに、ワイヤレス通信ネットワーク３０の１つまたは複数のセル３２、３６内で動作するワイヤレスデバイス４０へのデータの送信およびこのワイヤレスデバイス４０からのデータの受信をするように構成された通信インターフェース５２を備える。この基地局はさらに、通信インターフェース５２と動作可能に関連付けされた処理回路５４を含むとともに、異なるＵＬ／ＤＬ構成を有するＰＣｅｌｌとＳＣｅｌｌを含んだキャリアアグリゲーション構成においてサービングされる受ける半二重ワイヤレスデバイス４０に関して本明細書での教示に従った送信適応を実行するように構成される。
【００３８】
この機能を実装するにあたり処理回路５４は、ＳＣｅｌｌ内の通常ダウンリンクサブフレーム１２を、ＰＣｅｌｌ内の特殊サブフレーム１０のダウンリンク部分１４と重複した第１の部分２０とこの特殊サブフレーム１０のアップリンク部分１８と重複した第２の部分２２とを有するものとして識別すること、ならびに通常ダウンリンクサブフレーム１２に関するワイヤレスデバイス４０への送信を、ワイヤレスデバイス４０を宛て先とするデータが通常ダウンリンクサブフレーム１２の第２の部分２２内で送られないように適応させること、を行うように構成される。
【００３９】
ワイヤレス通信ネットワーク３０はたとえばＬＴＥネットワークを備えており、また基地局３４はＰＣｅｌｌまたはＳＣｅｌｌ、あるいはこの両方と関連付けされたｅＮＢとして構成される。この例では、通常ダウンリンクサブフレームと特殊ダウンリンクサブフレーム１０、１２はプライマリおよびセカンダリキャリア４４および４６のそれぞれに対する送信サブフレームを備える。
【００４０】
図１３は、本明細書で企図されるような基地局３４や他のネットワークノードによって実行される例示の一方法１３００を示している。たとえば基地局３４または３８の処理回路５４は、メモリ／記憶装置５６内に保存されたコンピュータプログラムを実行するように構成されることがあり、ここでこのコンピュータプログラムは、処理回路５４によって実行されたときに方法１３００または当該方法の変形形態を実行するように処理回路５４を構成するコンピュータプログラム命令を備える。
【００４１】
図示したように方法１３００は、様々なＵＬ／ＤＬ構成を有するようなＰＣｅｌｌとＳＣｅｌｌを含んだＣＡ構成を有する半二重ＴＤＤワイヤレスデバイス４０をサービングするステップまたは動作（ブロック１３０２）を含む。この例示の方法における「サービングする」ステップはたとえば、ＰＣｅｌｌとＳＣｅｌｌの少なくとも一方の中のワイヤレスデバイス４０に対する無線サービスを提供するまたさもなければ無線サービスを管理することを含む。
【００４２】
方法１３００はさらに、ＳＣｅｌｌ内の通常ダウンリンクサブフレーム１２をＰＣｅｌｌ内の特殊サブフレーム１０のダウンリンク部分１４と重複した第１の部分２０とこの特殊サブフレーム１０のアップリンク部分１８と重複した第２の部分２２とを有するものとして識別すること（ブロック１３０４）を含む。この状況におけるサブフレーム重複の一例については図９を参照されたい。
【００４３】
方法１３００はさらに、ＳＣｅｌｌ内の通常ダウンリンクサブフレーム１２に関するワイヤレスデバイス４０に対する送信を、このワイヤレスデバイス４０を宛て先とするデータが通常ダウンリンクサブフレーム１２の第２の部分２２内で送られないように適応させること（ブロック１３０６）を含む。一例では、通常ダウンリンクサブフレーム１２内のワイヤレスデバイス４０に対する送信を適応させること（ブロック１３０６）は、通常ダウンリンクサブフレーム１２の第１の部分２０に対するユーザまたは制御データの送信を制限することを含む。すなわち、通常ダウンリンクサブフレーム１２の時間幅全体をワイヤレスデバイス４０に対するダウンリンク送信に利用可能であるとして処置するのではなく、ネットワークノードは通常ダウンリンクサブフレーム１２内のワイヤレスデバイス４０に対するダウンリンク送信が通常ダウンリンクサブフレーム１２の第１の部分２０内部で実施されるようにその動作を適応させている。通常ダウンリンクサブフレーム１２の第１の部分２０に対するユーザまたは制御データの送信の制限に関する具体的な一例は、ワイヤレスデバイス４０を拡張型物理ダウンリンク制御チャンネル（図８に示したようなｅＰＤＣＣＨ）から物理ダウンリンク制御チャンネル（図７に示したようなＰＤＣＣＨ）に少なくとも一時的に切り替えることを含む。
【００４４】
関連する例では、通常ダウンリンクサブフレーム１２の第１の部分２０に対するユーザまたは制御データの送信を制限することは、ｅＰＤＣＣＨ上または物理ダウンリンク共有チャンネル（ＰＤＳＣＨ）上で送信されるシンボルの数および位置を通常ダウンリンクサブフレーム１２の第１の部分２０の長さおよび位置に対応するように制限することを含む。
【００４５】
追加としてまたは代替として、通常ダウンリンクサブフレーム１２内のワイヤレスデバイス４０に対する送信を適応させること（ブロック１３０６）は、１つまたは複数の送信パラメータを、通常ダウンリンクサブフレーム１２の全長に基づくのではなく通常ダウンリンクサブフレーム１２の第１の部分２０の長さおよび／または位置に基づいて選択することを含む。たとえば、１つまたは複数の送信パラメータを選択することは、転送ブロックサイズ、変調および符号化方式、ならびに通常ダウンリンクサブフレーム１２内においてどの直交周波数分割多重（ＯＦＤＭ）リソースエレメントが使用されるかのうちの１つまたは複数を選択することを含む。
【００４６】
追加としてまたは代替として、通常ダウンリンクサブフレーム１２内のワイヤレスデバイス４０に対する送信を適応させること（ブロック１３０６）は、ＰＣｅｌｌまたはＳＣｅｌｌ内の特殊サブフレームに使用される構成に対応する特殊サブフレーム構成を仮定すること、あるいは予め定義されたパターンまたは規則に従うことを含め通常ダウンリンクサブフレーム１２についてこれがあたかもＳＣｅｌｌ内の特殊なダウンリンクサブフレームであるかのように処置することを含む。すなわちネットワークノードは、通常ダウンリンクサブフレーム１２をＰＣｅｌｌ内の特殊サブフレーム１０に使用される構成と同じ構成を有する、あるいはＳＣｅｌｌ内の実際の特殊サブフレームの構成と同じ構成を有する、またあるいはテーブルや他のデータ構造から取得した予め定義された構成を有するような特殊サブフレームとして処置することがある。
【００４７】
少なくとも１つの実施形態では、通常ダウンリンクサブフレーム１２内のワイヤレスデバイス４０に対する送信を適応させること（ブロック１３０６）は、通常ダウンリンクサブフレーム１２内のワイヤレスデバイス４０へのあらゆる物理ダウンリンク共有チャンネル（ＰＤＳＣＨ）送信のスケジュール設定を回避するように進行中のスケジュール設定動作を適応させることを含む。このような実施形態では、ワイヤレスデバイス４０に向けられるＰＤＳＣＨ送信は、ＰＣｅｌｌ内の特殊サブフレーム１０と重複するＳＣｅｌｌ内の通常ダウンリンクサブフレーム１２で回避される。
【００４８】
さらに本明細書の教示はまた、通常ダウンリンクサブフレーム１２内のワイヤレスデバイス４０に関する復調参照シンボル（ＤＭＲＳ）の送信を、通常ダウンリンクサブフレーム１２の第１の部分２０内に置かれるように適応させることを企図している。この方式でのＤＭＲＳ送信の適応は、たとえばＰＣｅｌｌ内の特殊サブフレーム１０で使用されるまたはＳＣｅｌｌ内の実際の特殊サブフレームで使用されるＤＭＲＳ送信パターンを用いること、あるいは予め定義されたパターンまたは規則（テーブルや他の保存済のデータ構造の形で具現化し得るものなど）に従うことに基づくことがある。
【００４９】
またさらに、上述の実施形態のいずれかまたはすべては、ワイヤレス通信ネットワーク３０で動作する様々なタイプのワイヤレスデバイスを考慮して拡張することができる。一例では、異なるＵＬ／ＤＬ構成をもつＰＣｅｌｌとＳＣｅｌｌを含んだキャリアアグリゲーション構成に関して方法１３００は、半二重ワイヤレスデバイス４０を第１組のワイヤレスデバイスに属するものとして論理的に処置しかつ全二重ワイヤレスデバイス４２を第２組のワイヤレスデバイスに属するものとして論理的に処置すること、ならびに第１組のワイヤレスデバイス４０をサービングするためには第１組の無線ブロック（ＲＢ）からのＲＢを使用しかつ第２組のワイヤレスデバイス４２をサービングするためには第２組のＲＢからのＲＢを使用すること、を含むように拡張することができる。
【００５０】
方法１３００に関するさらなる実装詳細を見るために図１４は、図１３で導入した方法動作１３０４および１３０６に関する詳細例を示した方法１４００を示している。たとえば方法１３００からのブロック１３０４は、ワイヤレスデバイス４０がＳＣｅｌｌ内の重複した通常ダウンリンクサブフレーム１２に関してスケジュール設定されるまたはスケジュール設定されようとしている（ここで「重複した」とはＰＣｅｌｌ内の特殊サブフレーム１０との重複を意味する）と判定すること（ブロック１４０２）を含むことがある。
【００５１】
図１４の例を続けると、方法１３００からのブロック１３０６は、通常ダウンリンクサブフレーム１２に関してＳＣｅｌｌ内においてあたかも通常ダウンリンクサブフレーム１２が特殊サブフレームであるかのように使用するために転送ブロック（ＴＢ）サイズ、および／または変調および符号化方式（ＭＣＳ）を選択すること（ブロック１４０４）を含むことがある。方法１４００は次いで、通常ダウンリンクサブフレーム１２について仮定された特殊サブフレーム構成に従って通常ダウンリンクサブフレーム１２内の送信に対するチャンネルリソースおよび／または参照シンボルをマッピングすること（ブロック１４０６）、ならびに選択されたマッピングに従って通常ダウンリンクサブフレーム１２内のワイヤレスデバイスにデータおよび／または参照シンボルを送信すること（ブロック１４０８）で継続される。
【００５２】
デバイス側の例示の詳細に戻ると一実施形態ではワイヤレスデバイス４０は、図１５に示したような方法１５００を実装するように構成されるとともに、異なるアップリンク／ダウンリンク（ＵＬ／ＤＬ）構成を有するＰＣｅｌｌとＳＣｅｌｌを含んだキャリアアグリゲーション構成を有するＴＤＤモードで動作すること（ブロック１５０２）を含む。方法１５００はさらに、ＳＣｅｌｌ内の通常ダウンリンクサブフレーム１２を、ＰＣｅｌｌ内の特殊サブフレーム１０のダウンリンク部分１４と重複した第１の部分２０とこの特殊サブフレーム１０のアップリンク部分１８と重複した第２の部分２２とを有するものとして識別すること（ブロック１５０４）、ならびにセカンダリセル３６内の通常ダウンリンクサブフレーム１２に関する受信を適応させること（ブロック１５０６）を含む。
【００５３】
適応は、第１の部分２０内だけのワイヤレスデバイス４０を宛て先とするすべてのユーザまたは制御データを有する省略型ダウンリンクサブフレームとして通常ダウンリンクサブフレーム１２を処置することに基づく。通常ダウンリンクサブフレーム１２を省略型として処置するとは、これがワイヤレスデバイス４０内でインテリジェントに取り扱われること（すなわち、通常ダウンリンクサブフレーム１２の実際の時間的幅と比べてより短いダウンリンク部分を有するとして取り扱われるまたさもなければ処理されること）を意味する。
【００５４】
例示の一実装形態では、通常ダウンリンクサブフレーム１２を省略型ダウンリンクサブフレームとして処置することは、ユーザデータまたは制御データの受信を通常ダウンリンクサブフレーム１２の第１の部分２０に制限することを含む。少なくとも１つの実施形態では、ＰＣｅｌｌ内の特殊サブフレーム１０とＳＣｅｌｌ内の通常ダウンリンクサブフレーム１２はプライマリおよびセカンダリのＬＴＥキャリアに対するサブフレームを備える。これに相応して、受信をこの方式で制限することは、たとえばｅＰＤＣＣＨモニタリングからＰＤＣＣＨモニタリングに少なくとも一時的に切り替えることを含む。
【００５５】
ワイヤレスデバイス４０の処理回路６４は方法１５００の全部または一部、あるいは方法１５００のブロック１５０４および１５０６に識別および適応の態様を含んだ当該方法の変形形態を実行するように構成され得ることが理解されよう。一例では処理回路６４は、メモリ／記憶装置６６内に保存されたまたは処理回路６４に対してアクセス可能とした何か別のコンピュータ読み取り可能な媒体内に保存されたコンピュータプログラムの実行に少なくともその一部で基づいて方法１５００を実行するように構成されている。
【００５６】
図１６Ａ〜Ｄは、ワイヤレスデバイス４０における受信の適応（ブロック１５０６）に至る企図される方式の１つに関する様々な例を示したものであり、またこれらの図はネットワークノードにおける（たとえば、基地局３４または３８における）送信を適応させること（ブロック１３０６）に関して企図される対応する方式も示していることが理解されよう。これらの図は様々なＵＬ／ＤＬ構成を有するＰＣｅｌｌとＳＣｅｌｌを含んだＣＡ構成を有する半二重ＴＤＤワイヤレスデバイス４０に関して取られる送信／受信適応に当てはまるものであり、また特にＰＣｅｌｌ内の特殊サブフレームと重複したＳＣｅｌｌ内の通常ダウンリンクサブフレーム１２に関して取られる適応について当てはまるものである。
【００５７】
図１６Ａでは、通常ダウンリンクサブフレーム１２に関するＰＤＳＣＨまたはｅＰＤＣＣＨ送信がＳＣｅｌｌ内の「Ｘ個の」シンボル後に（指定したテーブル値はＰＣｅｌｌ内およびＳＣｅｌｌ内で使用される通常のＣＰに関するものである）停止されることが確認されよう。このような停止は、ネットワーク側では送信適応として理解することができる。これに相応してこの停止は、受信機側では受信適応を含意しており、ワイヤレスデバイス４０は通常ダウンリンクサブフレーム１２に関するその受信を、ワイヤレスデバイス４０を宛て先とするユーザまたは制御データが通常ダウンリンクサブフレーム１２の最初のＸ個のシンボル内で送られるとの理解に基づいて適応させている。
【００５８】
ｅＰＤＣＣＨ送信については、サブフレーム内で利用可能なＲＥの数の計算において停止値Ｘを考慮に入れている。したがって、この停止値を超えるＯＦＤＭシンボルは利用不可能なＲＥとして計数される。この調整は、ワイヤレスデバイス４０がモニタリングする利用可能なアグリゲーションレベルの組に影響を及ぼす、というのはこの利用可能なＲＥ数がワイヤレスデバイスがモニタリングするアグリゲーションレベルの組を決定するためにＸｔｈｒｅｓｈで表したしきい値パラメータに対して比較されるためである。Ｘｔｈｒｅｓｈの値は停止値Ｘに依存する。
【００５９】
同様に図１６Ｂ、１６Ｃおよび１６Ｄでは、追加の例示の停止値Ｘを提供している。これらの図にある様々なテーブルはプライマリセルとセカンダリセルの間における通常型と拡大型の巡回プレフィックスの使用の様々な組み合わせを示している。
【００６０】
図１７は、通常ダウンリンクサブフレーム１２に関する送信を適応させる別の例を示しており、また図１７はさらに重複した通常ダウンリンクサブフレーム１２に関するワイヤレスデバイス４０における受信処理に関する対応した補完的な適応を含意するものと理解することができる。具体的には、通常ダウンリンクサブフレーム１２について使用されるＤＭＲＳおよびｅＰＤＣＣＨ対ＲＥのマッピングは特殊サブフレーム１０について使用される特殊サブフレーム構成に基づくことが確認されよう。図１７で提案したマッピングは、ＰＣｅｌｌとＳＣｅｌｌが同じ巡回プレフィックス構成を使用することを前提としている。
【００６１】
図１８は、通常ダウンリンクサブフレーム１２に関するＤＭＲＳおよびｅＰＤＣＣＨ  ＲＥについての代替的なマッピングを示している。図示したマッピングでは、ＳＣｅｌｌが通常のＣＰを使用する一方、ＰＣｅｌｌは拡大型ＣＰを使用するものと仮定している。
【００６２】
図１６Ａ〜１６Ｄならびに図１７および１８は、ＰＣｅｌｌとＳＣｅｌｌが同じＣＰ構成を使用する場合や、異なるＣＰ構成を使用する場合に対する本明細書の教示の適用を示している。本明細書の一実施形態は、通常ダウンリンクサブフレーム１２に関してＳＣｅｌｌについて（１）ＰＣｅｌｌ内の特殊サブフレーム１０について使用される構成、（２）ＳＣｅｌｌ内の実際の特殊サブフレームについて使用される構成、または（３）規則またはテーブルに従って決定される予め定義された構成が使用されるようにＤＭＲＳ送信パターンが適応されるものと企図している。
【００６３】
このような一実施形態ではネットワークノードは、ＳＣｅｌｌ内の通常ダウンリンクサブフレーム１２に関して、ＰＣｅｌｌ内でＰＤＳＣＨについて利用されることになるような同じＤＭＲＳパターンを送信する。ＳＣｅｌｌ内の通常ダウンリンクサブフレーム１２内におけるＤＭＲＳ位置はＰＣｅｌｌの特殊サブフレーム構成に基づいて決定される。さらにこの実施形態によれば、ワイヤレスデバイス４０はネットワークノード（たとえば、基地局３４または３８）がワイヤレスデバイス４０を宛て先とするＰＤＳＣＨ送信についてこのようなＤＭＲＳパターンを使用すると仮定するものとしている。
【００６４】
一代替形態では、ネットワークノードがＳＣｅｌｌに関して特殊サブフレーム構成を使用しており、かつワイヤレスデバイス４０はこのような使用を仮定している。
【００６５】
さらに別の代替形態では、ネットワークノードが特殊なＤＭＲＳパターンを使用しており、かつワイヤレスデバイス４０はこのような使用を仮定している。たとえば、ネットワークノードとワイヤレスデバイス４０は、動作の際に突き合わせる関連する物理的レイヤー仕様（たとえば、ＬＴＥに関して第３世代パートナーシッププロジェクト（３ＧＰＰ）によって公表されたＴＳ３６．２１３仕様）で指定された規則に基づいて通常ダウンリンクサブフレーム１２の仮定された構成として用いる特殊サブフレーム構成を選択する。
【００６６】
このような一実施形態では特殊サブフレーム構成は、プライマリセル３２または３６のＤｗＰＴＳの終了とＵｐＰＴＳの開始との間の時間Ｔｇａｐを超えないような可能な最大のＤｗＰＴＳを備えるように選択される。時間Ｔｇａｐは、仕様値として固定の値とされることになり、またたとえばＴｇａｐ＝１４５６Ｔｓ（ここで、「Ｔｓ」は時間の基本単位）とすることが可能である。次いで通常ダウンリンクサブフレーム１２に関して、選択された特殊サブフレーム構成に基づいて送信および受信のためのＤＭＲＳ位置が決定される。もちろん通常ダウンリンクサブフレーム１２は実際のＵｐＰＴＳパートを含まないが論理的にはこのようにして処置されており、また関連する送信および受信プロセスは通常ダウンリンクサブフレーム１２の実際のダウンリンク部分があたかもこのように省略されたものとして適応されている。
【００６７】
さらに本明細書において、ＤＭＲＳマッピングの直前の例はまた、ワイヤレスデバイス４０がＳＣｅｌｌ上でｅＰＤＣＣＨを受信するように構成されている場合にも当てはまることが理解されよう。
【００６８】
図１９は、ＰＣｅｌｌがＳＣｅｌｌと異なるＣＰ構成を使用する場合のＳＣｅｌｌ内の通常ダウンリンクサブフレーム１２におけるＤＭＲＳ位置に関する例示の構成またはマッピング規則を提供している。図示したテーブルの横列１によれば、ＰＣｅｌｌが通常の巡回プレフィックスで構成されておりかつＰＣｅｌｌの特殊サブフレーム構成が１、２、３、４、６、７または８である場合、ＳＣｅｌｌ内の通常ダウンリンクサブフレーム１２に関するＤＭＲＳ位置はＳＣｅｌｌが拡大型巡回プレフィックスを使用するような特殊サブフレーム構成１、２、３、５または６で与えられる。第２の横列によれば、ＰＣｅｌｌが拡大型巡回プレフィックスで構成されておりかつ特殊サブフレーム構成が３である場合、特殊サブフレーム構成３、４または８に関するＤＭＲＳ位置はＳＣｅｌｌが通常の巡回プレフィックスで構成される場合に通常ダウンリンクサブフレーム１２について使用される。図１９に示したテーブルの第３の横列によれば、ＰＣｅｌｌが拡大型巡回プレフィックスで構成されておりかつ特殊サブフレーム構成が１、２、５または６である場合、ＳＣｅｌｌ内の通常ダウンリンクサブフレーム１２に関するＤＭＲＳ位置はＳＣｅｌｌが通常の巡回プレフィックスを使用するような特殊サブフレーム構成１、２、６または７で与えられる。
【００６９】
本明細書の教示の別の態様では、基地局３４はｅＰＤＣＣＨ構成の同じ組を共有するように半二重ＴＤＤワイヤレスデバイス４０を構成することが可能である。たとえばこのようなデバイスは、同じｅＰＤＣＣＨ組と同じ高次レイヤー構成のＤＭＲＳスクランブルコードを共有する。
【００７０】
さらに基地局３４は、重複する物理的リソースブロック（ＰＲＢ）に合わせてワイヤレスデバイス４０をスケジュール設定するように構成されることがある。したがってこのようなデバイスは、ＳＣｅｌｌ内の重複した通常ダウンリンクサブフレーム１２でのマルチユーザ−マルチ入力マルチ出力（ＭＵ−ＭＩＭＯ）のＰＤＳＣＨ送信における同じＰＲＢ対についてスケジュール設定することが可能である。基地局３４は、全二重ＴＤＤワイヤレスデバイス４２に対するｅＰＤＣＣＨ送信をサポートするために別の組のＰＲＢを使用するように構成されることがある。
【００７１】
したがって１つまたは複数の実施形態では基地局３４は、所与の重複した通常ダウンリンクサブフレーム１２に関するＳＣｅｌｌのスケジュール設定に関してＲＢを２つの組に論理的に分割するように構成されている。ＲＢの第１の組「Ａ」は全二重ＴＤＤワイヤレスデバイス４２に対して使用される一方、ＲＢの第２の組「Ｂ」は半二重ＴＤＤワイヤレスデバイス４０に対して使用される。基地局３４は、サービングされる複数のワイヤレスデバイスの各々についてデバイスタイプ（たとえば、半二重／全二重）を決定することがある。基地局３４は次いで、ＲＢの組（たとえば、組Ａまたは組Ｂ）を識別し、具体的なあるデバイスに対する当該デバイスのタイプに基づいた送信のために使用することがある。基地局３４は次いで、識別された組から１つまたは複数のＲＢを選択するとともに、この選択されたＲＢを用いて宛て先のデバイスに情報を送信することがある。
【００７２】
送信（および、対応する受信）の適応に関する別の例として、ＬＴＥにおいて２つのパラメータＩＴＢＳとＮＰＲＢ・ＩＴＢＳを用いた３ＧＰＰ  ＴＳ３６．２１３で指定された２次元転送ブロックサイズのテーブル７．１．７．２．１−１からの読み取りによって転送ブロックサイズが決定されると考えてみる。この値ＩＴＢＳは、ダウンリンク制御チャンネル（ＰＤＣＣＨまたはｅＰＤＣＣＨのいずれか）によって与えられる。制御チャンネルに包含されたリソース割り当てから、所与の従来の端末は先ず、ＴＳ３６．２１３のセクション７．１．６に規定された手続きに基づいて割り当てられたＰＲＢの総数として
2016507914.tif 000003
を計算する。ＴＤＤ特殊サブフレームでないサブフレームについては次いで、端末が
2016507914.tif 000004
を設定する。
【００７３】
しかし本明細書の教示によれば、ワイヤレスデバイス４０や他のこのような端末は、ＰＣｅｌｌ内の特殊サブフレーム１０と重複したＳＣｅｌｌ内の通常ダウンリンクサブフレーム１２に関してＮＰＲＢの値を設定するために異なる方式を使用する。具体的には、ワイヤレスデバイス４０は重複した通常ダウンリンクサブフレーム１２に関するＮＰＲＢの値を
2016507914.tif 000005
として設定する。この適応によれば、通常ダウンリンクサブフレーム１２の転送ブロックサイズが、ＰＣｅｌｌ内の特殊サブフレーム１０と重複しないＳＣｅｌｌ内の通常ダウンリンクサブフレームについて使用されるサイズより小さくなる。
【００７４】
さらに１つまたは複数の実施形態では基地局３４は、ＳＣｅｌｌ内の重複した通常ダウンリンクサブフレーム１２に関して、通常ダウンリンクサブフレーム１２がＰＣｅｌｌ内の特殊サブフレーム１０と重複しないとした場合に基地局３４によって選択されたであろう速度と比べてより低い変調および符号化速度を有するようなＭＣＳを選択する。
【００７５】
さらに指摘したように基地局３４は、通常ダウンリンクサブフレーム１２内のＳＣｅｌｌについて、通常ダウンリンクサブフレーム１２がＰＣｅｌｌ内の特殊サブフレーム１０と重複しないとした場合に使用されたであろう時間期間と比較してより短縮させた時間期間にわたってＰＤＳＣＨまたはｅＰＤＣＣＨを送信することがある。非限定の例では基地局３４は、通常ダウンリンクサブフレーム１２に対して１ｍｓのサブフレーム時間を使用するのではなく、宛て先のワイヤレスデバイス４０に対するその送信を通常ダウンリンクサブフレーム１２内の最初のＸ個のシンボル範囲内に属するように制限している。
【００７６】
同じく指摘したように、この方法による送信の制限はｅＰＤＣＣＨ送信に関しては、基地局３４がサブフレーム内で利用可能なＲＥの数を停止値Ｘを考慮して計算することを意味する。したがって、この停止値Ｘを超えるＯＦＤＭシンボルは利用不可能なＲＥとして計数される。適応に関するこの態様によって問題となる通常ダウンリンクサブフレーム１２についてワイヤレスデバイス４０によってモニタリングされる利用可能なアグリゲーションレベルの組が低減される、というのは利用可能なＲＥが停止値Ｘの値によって決定される値であるしきい値パラメータＸｔｈｒｅｓｈに対して比較されるためである。この実施形態におけるワイヤレスデバイス４０はしたがって、通常ダウンリンクサブフレーム１２がＰＣｅｌｌ内の特殊なサブフレームと重複する場合についてＳＣｅｌｌ内のｅＰＤＣＣＨについて自身がモニタリングするアグリゲーションレベルの数を制限している。
【００７７】
適応に関するまた別の例では、ＳＣｅｌｌ内の通常ダウンリンクサブフレーム１２についてはＳＣｅｌｌ内においてＰＤＳＣＨに関してワイヤレスデバイス４０をスケジュール設定しないように基地局３４が構成されることがある。さらに、ワイヤレスデバイス４０がＳＣｅｌｌ内でｅＰＤＣＣＨを受信するように構成されているならば、基地局３４（および、ワイヤレスデバイス４０）は少なくとも通常ダウンリンクサブフレーム１２についてはＳＣｅｌｌ内においてｅＰＤＣＣＨからＰＤＣＣＨに少なくとも一時的に切り替えている。
【００７８】
企図される送信側および／または受信側の適応に関するさらに別の例では上で指摘したように、通常ダウンリンクサブフレーム１２は、これが実際の特殊サブフレームでない場合であってもある意味において特殊サブフレームであるとして処置されることがある。こうした実施形態では基地局３４およびワイヤレスデバイス４０は、ＳＣｅｌｌ内の通常ダウンリンクサブフレーム１２に関するそのそれぞれの送信動作および受信動作を、その通常ダウンリンクサブフレーム１２があたかもＰＣｅｌｌで使用する構成と同じ構成を有する、または、ＳＣｅｌｌ内の実際の特殊サブフレームで使用する構成と同じ構成を有する、または利用可能な予め定義された特殊サブフレーム構成のうちの１つ（たとえば、周知の規則に従って選択される）を有するような特殊サブフレームであるかのようにして適応させている。
【００７９】
このような実施形態では基地局３４は、通常ダウンリンクサブフレーム１２について仮定された特殊サブフレーム構成に適用可能なＤｗＰＴＳに従ってＳＣｅｌｌ内の通常ダウンリンクサブフレーム１２におけるワイヤレスデバイス４０に関する送信を行う。したがって、ＰＤＳＣＨおよびｅＰＤＣＣＨ送信に関するＤＭＲＳパターン、ならびにｅＰＤＣＣＨアグリゲーションレベル決定に使用される利用可能なＲＥの数の計算はこの仮想的な特殊サブフレーム構成に依存する。さらに、パラメータＬ（拡張型ＣＣＥ（ｅＣＣＥ）１つあたりの拡張型ＲＥＧ（ｅＲＥＧ）の数）の選択はまた、この仮想的なサブフレーム構成と同じ構成をもつ特殊サブフレームに関するのと同じ方法で決定される。もちろん通常ダウンリンクサブフレーム１２は、ＤＬ関連の送信および受信動作のために特殊サブフレームであるように仮想されたまたは処置されただけであり、ＵＬスケジュール設定に利用可能な実際のＵｐＰＴＳは有していない。
【００８０】
通常ダウンリンクサブフレーム１２に関する仮定のための特殊サブフレーム構成の選択は、同じサブフレーム内のＰＣｅｌｌで使用されるのと同じ特殊サブフレーム構成、同じＳＣｅｌｌについて構成されるのと同じ特殊サブフレーム構成、可能な最大ＤｗＰＴＳを有する特殊サブフレーム構成で予め定義された特殊サブフレーム構成の中からの選択による構成、または可能な最大ＤｗＰＴＳを有する特殊サブフレーム構成で他の任意のアグリゲートされたセルまたは特にＰＣｅｌｌに関するＤｗＰＴＳの終了とＵｐＰＴＳの開始の間の時間がＴｇａｐと呼ぶ、あるしきい値より大きくなければならないとの追加の制約が付いた構成、という代替形態のうちの任意の１つとすることができる（また、異なる時点で異なる代替形態が選択されることもある）。時間Ｔｇａｐは、関連する仕様において固定の値とするとともに、たとえばＴｇａｐ＝１４５６Ｔｓ（ここで、「Ｔｓ」は時間の基本単位）とすることが可能である。基地局３４は、ＰＤＳＣＨとｅＰＤＣＣＨの受信についてＤＭＲＳパターンおよび構成を信号伝達することになることに留意されたい。
【００８１】
通常ダウンリンクサブフレーム１２についてのｅＰＤＣＣＨ送信および仮定的な特殊サブフレーム構成に関しては、ｅＰＤＣＣＨ構成は仮定的な特殊サブフレーム構成に適用可能な規則に従うことになる。したがって、ｅＣＣＥの１つあたりのｅＲＥＧの数を意味する値Ｌは、サブフレームタイプまたはＣＰ長さに応じて４または８とすることが可能であり、ＳＣｅｌｌ内で使用されている仮想的なサブフレーム構成および巡回プレフィックスに基づいて選択される。さらに、利用可能なアグリゲーションレベルの選択は、サブフレーム内の利用可能なＲＥの数にまた特殊サブフレーム構成に依存するが、これらのパラメータの算定の際には同じ仮想的なサブフレーム構成を仮定すべきである。
【００８２】
別の実施形態では、ＳＣｅｌｌ内の通常ダウンリンクサブフレーム１２について利用可能なＲＥの数を算定する際に基地局３４は、仮想的な特殊サブフレーム構成（および、ＤｗＰＴＳ長さ）を仮定するが、ＳＣｅｌｌの他の信号のオーバーヘッドを使用することになる。たとえば、レガシー制御範囲長さ（ｅＰＤＣＣＨ開始シンボルを規定する）とチャンネル状態情報参照信号（ＣＳＩ−ＲＳ）構成をこれらが特定のＳＣｅｌｌに対して規定される従って使用すべきである。
【００８３】
これに相応して、宛て先となったワイヤレスデバイス４０は、通常ダウンリンクサブフレーム１２に関してＳＣｅｌｌ内のｅＰＤＣＣＨに対するその受信処理を、ＤｗＰＴＳ長さが対応する仮想的な特殊サブフレームから取られている場合であるがＥＰＤＣＣＨ開始シンボルならびにＣＲＳおよびＣＳＩ−ＲＳの有無がＳＣｅｌｌの構成から取られている場合に、ｅＰＤＣＣＨが上で概説した仕様に従った計算に従ったサブフレーム内の利用可能なＲＥを使用すると仮定することに基づいて適応させることになる。
【００８４】
デバイス側の適応の一例では、方法１５００の適応ステップ１５０６は、セカンダリセル３６内の通常ダウンリンクサブフレーム１２に関する１つまたは複数の送信パラメータが通常ダウンリンクサブフレーム１２の全長に基づくのではなく通常ダウンリンクサブフレーム１２の第１の部分２０の長さおよび／または位置に基づいて設定されると仮定しているワイヤレスデバイス４０を備える。この１つまたは複数の送信パラメータは、転送ブロックサイズ、変調および符号化方式、ならびに通常ダウンリンクサブフレーム１２内においてどのＯＦＤＭリソースエレメントが使用されるかのうちの１つまたは複数を含む。
【００８５】
別の例では適応ステップ１５０６は、プライマリセルまたはセカンダリセル３２、３６内の特殊サブフレームに使用される構成に対応する特殊サブフレーム構成を仮定すること、または予め定義されたパターンまたは規則に従うことを含め通常ダウンリンクサブフレーム１２について、これがあたかもセカンダリセル３６内の特殊なダウンリンクサブフレームであるかのように処置するワイヤレスデバイス４０を備える。
【００８６】
別の例では適応ステップ１５０６は、プライマリセル３２内の特殊サブフレームに使用されるまたはセカンダリセル３６内の特殊サブフレームに使用されるＤＭＲＳ送信パターンに従うか、または予め定義されたパターンまたは規則に従って通常ダウンリンクサブフレーム１２内のワイヤレスデバイス４０に関する任意のＤＭＲＳの送信が通常ダウンリンクサブフレーム１２の第１の部分２０内にあると仮定しているワイヤレスデバイス４０を備える。
【００８７】
もちろん適応ステップ１５０６は、たとえばＭＣＳ、リソース割り当てまたは位置、ＤＭＲＳパターン、その他の仮定に関するような複数の適応を備えることが可能である。さらに、この適応性の挙動はワイヤレスデバイス４０内でその処理回路６４の適正な構成を介して（たとえば、プログラム構成を介して）、ワイヤレスデバイス４０の処理回路６４が記載したような動的な受信適応を行えるように実装し得ることが理解されよう。
【００８８】
上の例示の実施形態は、ネットワーク側およびデバイス側に関していくつかの利点を提供する。こうした利点の中で本明細書の教示は、ＳＣｅｌｌ内の通常ダウンリンクサブフレーム１２について、その通常ダウンリンクサブフレーム１２がＰＣｅｌｌ内の特殊サブフレームと重複する場合に、ＤＭＲＳベースの復調を含んだ送信を半二重ＴＤＤワイヤレスデバイス４０に向けとすることを可能とさせる。このような送信は、通常ダウンリンクサブフレーム１２の有効な省略形を考慮に入れるためのＤＭＲＳの再マッピングを含む本明細書に教示した有利な送信および受信適応に基づいて有効となる。
【００８９】
同様の改良は通常ダウンリンクサブフレーム１２に関するＭＣＳ選択に当てはまり、また１つまたは複数の実施形態においてはたとえば進行中のスケジュール設定動作をワイヤレスデバイス４０がＳＣｅｌｌ内のＰＤＳＣＨに関してこうした通常ダウンリンクサブフレーム１２向けのスケジュール設定をしないように適応させることによってスケジュール設定が実質的に改良される。
【００９０】
特に当業者には、上の説明および関連する図面に提示した教示の恩恵を有するような開示した発明の修正形態や他の実施形態が想起されよう。したがって、本発明が開示した特定の実施形態に限定されるものでないこと、また修正形態や他の実施形態が本開示の趣旨に含まれるように意図したものであることを理解すべきである。本明細書では特定の用語を利用することがあるが、これらは単に一般的また記述的な意味合いで使用したものであり限定を意図したものではない。
【図１】
2016507914.tif 000006
【図２】
2016507914.tif 000007
【図３】
2016507914.tif 000008
【図４】
2016507914.tif 000009
【図５】
2016507914.tif 000010
【図６】
2016507914.tif 000011
【図７】
2016507914.tif 000012
【図８】
2016507914.tif 000013
【図９】
2016507914.tif 000014
【図１０】
2016507914.tif 000015
【図１１】
2016507914.tif 000016
【図１２】
2016507914.tif 000017
【図１３】
2016507914.tif 000018
【図１４】
2016507914.tif 000019
【図１５】
2016507914.tif 000020
【図１６Ａ】
2016507914.tif 000021
【図１６Ｂ】
2016507914.tif 000022
【図１６Ｃ】
2016507914.tif 000023
【図１６Ｄ】
2016507914.tif 000024
【図１７】
2016507914.tif 000025
【図１８】
2016507914.tif 000026
【図１９】
2016507914.tif 000027
【国際調査報告】
2016507914.tif 000028
2016507914.tif 000029